(57)【特許請求の範囲】
【請求項１】
被写体像を撮影し、複数の色を分離する色分解フィルタを用いて複数の色成分信号を生成する撮像手段と、
前記撮像手段により生成された１フレームの複数の色成分信号を用いて、輝度信号と複数の色差信号とからなる１フレームのカラー画像信号を生成する画像処理手段と、
前記複数の色成分信号と前記カラー画像信号とを示す識別情報を生成し、前記画像処理手段により生成された前記カラー画像信号と当該カラー画像信号を生成するために用いた前記複数の色成分信号とを前記識別情報とともに記録媒体に記録する記録手段とを具備することを特徴とする記録装置。
【請求項２】
前記複数の色成分信号が、赤成分信号、緑成分信号及び青成分信号を含むことを特徴とする請求項１記載の記録装置。
【請求項３】
前記複数の色成分信号が、イエロー成分信号、シアン成分信号及びマゼンタ成分信号を含むことを特徴とする請求項１記載の記録装置。
【請求項４】
前記撮像手段により得られた前記１フレームの複数の色成分信号を蓄積するメモリを備え、前記画像処理手段は前記メモリに蓄積された１フレームの色成分信号を用いて前記１フレームのカラー画像信号を生成することを特徴とする請求項１記載の記録装置。
【請求項５】
被写体像を撮影し、赤成分信号、緑成分信号及び青成分信号とからなる色成分信号を生成する撮像手段と、
前記撮像手段により生成された１フレームの前記色成分信号を用いて、輝度信号と複数の色差信号とからなる１フレームのカラー画像信号を生成する画像処理手段と、
前記複数の色成分信号と前記カラー画像信号とを示す識別情報を生成し、前記画像処理手段により生成された前記カラー画像信号と当該カラー画像信号を生成するために用いた前記色成分信号とを前記識別情報と共に記録媒体に記録する記録手段とを備えることを特徴とする記録装置。
【請求項６】
前記撮像手段により得られた前記１フレームの色成分信号を蓄積するメモリを備え、前記画像処理手段は前記メモリに蓄積された１フレームの色成分信号を用いて前記１フレームのカラー画像信号を生成することを特徴とする請求項５記載の記録装置。
【請求項７】
被写体像を撮影し、イエロー成分信号、シアン成分信号及びマゼンタ成分信号とからなる色成分信号を生成する撮像手段と、
前記撮像手段により生成された１フレームの前記色成分信号を用いて、輝度信号と複数の色差信号とからなる１フレームのカラー画像信号を生成する画像処理手段と、
前記複数の色成分信号と前記カラー画像信号とを示す識別情報を生成し、前記画像処理手段により生成された前記カラー画像信号と当該カラー画像信号を生成するために用いた前記色成分信号とを前記識別情報と共に記録媒体に記録する記録手段とを備えることを特徴とする記録装置。
【請求項８】
前記撮像手段により得られた前記１フレームの色成分信号を蓄積するメモリを備え、前記画像処理手段は前記メモリに蓄積された１フレームの色成分信号を用いて前記１フレームのカラー画像信号を生成することを特徴とする請求項７記載の記録装置。
【発明の詳細な説明】
【０００１】
【発明の属する技術分野】
本発明は、記録装置に係り、更に詳しくは撮影された画像データを画像情報として記録媒体上に記録する記録装置に関する。
【０００２】
【従来の技術】
近年、例えば家庭用ビデオテープレコーダ等に代表される民生用の記録再生装置においては、画質の向上を図ると共に画像の劣化を防止すべく、更には種々のデータを画像とともに記録再生すべく、デジタル化が推進されている。また、この種の記録再生装置を利用して静止画像を記録再生するために、数フレームを単位として記録再生を行う方法が提案されている。
【０００３】
【発明が解決しようとする課題】
しかしながら、上述した従来技術においては、下記のような問題があった。即ち、従来の記録再生装置においては、動画を記録再生するためのフォーマットを用いているため、その画像は色信号の帯域が狭いという不具合や、画像データの圧縮（多数の画像データをまとめて全体の量を減らす技法）を行うために画質が低下する等の不具合があった。このため、画像を印刷する場合には、十分な画質を得ることができないという問題があった。
【０００４】
本発明は、上述した点に鑑みなされたものであり、色信号の帯域を保ちながら画像データの圧縮等による画質の低下を最小限に抑制することを可能とした記録装置を提供することを目的とする。
【０００５】
【課題を解決するための手段】
上記目的を達成するため、請求項１の発明は、被写体像を撮影し、複数の色を分離する色分解フィルタを用いて複数の色成分信号を生成する撮像手段と、前記撮像手段により生成された１フレームの複数の色成分信号を用いて、輝度信号と複数の色差信号とからなる１フレームのカラー画像信号を生成する画像処理手段と、前記複数の色成分信号と前記カラー画像信号とを示す識別情報を生成し、前記画像処理手段により生成された前記カラー画像信号と当該カラー画像信号を生成するために用いた前記複数の色成分信号とを前記識別情報とともに記録媒体に記録する記録手段とを具備することを特徴とする。
【０００６】
上記目的を達成するため、請求項２の発明は、前記複数の色成分信号が、赤成分信号、緑成分信号及び青成分信号を含むことを特徴とする。
【０００７】
また、上記目的を達成するために、請求項３の発明は、前記複数の色成分信号が、イエロー成分信号、シアン成分信号及びマゼンタ成分信号を含むことを特徴とする。
【０００８】
また、上記目的を達成するために、請求項５の発明は、被写体像を撮影し、赤成分信号、緑成分信号及び青成分信号とからなる色成分信号を生成する撮像手段と、前記撮像手段により生成された１フレームの前記色成分信号を用いて、輝度信号と複数の色差信号とからなる１フレームのカラー画像信号を生成する画像処理手段と、前記複数の色成分信号と前記カラー画像信号とを示す識別情報を生成し、前記画像処理手段により生成された前記カラー画像信号と当該カラー画像信号を生成するために用いた前記色成分信号とを前記識別情報と共に記録媒体に記録する記録手段とを備えることを特徴とする。
【０００９】
更に、上記目的を達成するために、請求項７に記載の記録装置に於いては、被写体像を撮影し、イエロー成分信号、シアン成分信号及びマゼンタ成分信号とからなる色成分信号を生成する撮像手段と、前記撮像手段により生成された１フレームの前記色成分信号を用いて、輝度信号と複数の色差信号とからなる１フレームのカラー画像信号を生成する画像処理手段と、前記複数の色成分信号と前記カラー画像信号とを示す識別情報を生成し、前記画像処理手段により生成された前記カラー画像信号と当該カラー画像信号を生成するために用いた前記色成分信号とを前記識別情報と共に記録媒体に記録する記録手段とを備えることを特徴とする。
【００１０】
【発明の実施の形態】
以下、本発明の実施の形態を図面を参照して説明する。
【００１１】
図１は本実施の形態に係る記録再生装置の構成を示すブロック図である。本記録再生装置は、装置本体１と、磁気テープ２と、電池３と、印刷装置４と、モニタ５と、操作部６と、システム制御部７と、カメラ部８と、撮影用フレームメモリ部９と、画像処理部１０と、記録再生部１１と、印刷用フレームメモリ部１２と、変換部１３と、出力端子１４と、モニタ端子１５と、電源部１６とを備える構成となっている。
【００１２】
上記各部の構成を詳述すると、装置本体１には、磁気テープ２、電池３、操作部６、システム制御部７、カメラ部８、撮影用フレームメモリ部９、画像処理部１０、記録再生部１１、印刷用フレームメモリ部１２、変換部１３、出力端子１４、モニタ端子１５、電源部１６が各々装備されている。磁気テープ２は、カメラ部８により撮影された被写体Ｈの画像データが記録再生される媒体である。電池３は、記録再生装置全体を駆動するための電源である。
【００１３】
印刷装置４は、出力端子１４を介して装置本体１に付設されており、後述する印刷動作に基づいて画像を印刷する。モニタ５は、モニタ端子１５を介して装置本体１に付設されており、例えばカラーの静止画像を表示する。
【００１４】
操作部６は、撮影キー・検索キー・次検索キー・印刷キー等の各種キー（図示略）を備えており、操作者が記録再生装置に対して記録動作・再生動作・検索動作・印刷動作等の各種指示を与えるためのものである。システム制御部７は、予め定められた制御手順に基づいて、カメラ部８、撮影用フレームメモリ部９、画像処理部１０、記録再生部１１、印刷用フレームメモリ部１２、変換部１３に後述する各種指示を送る。
【００１５】
カメラ部８は、赤（Ｒ）、緑（Ｇ）、青（Ｂ）３色からなる色分解フィルタを有し、被写体Ｈを撮影する。撮影用フレームメモリ部９は、カメラ部８により撮影された画像のうち１フレーム分の画像を赤成分信号、緑成分信号及び青成分信号として記憶する。画像処理部１０は、赤成分信号と緑成分信号と青成分信号から輝度信号（Ｙ）と色差信号（Ｉ、Ｑ）を生成（または選択）する等の処理を行う。記録再生部１１は、画像処理部１０から送られてきた画像にマーク（後述）を付加した信号を磁気テープ２に記録したり、磁気テープ２からマークが付加された信号を再生する。
【００１６】
印刷用フレームメモリ部１２は、記録再生部１１から送られてきた１フレーム分の赤成分信号、緑成分信号及び青成分信号を含む画像信号を記憶する。変換部１３は、印刷用フレームメモリ部１２から送られてきた画像信号を印刷用コードに変換する。出力端子１４には、上述した印刷装置４が接続されている。モニタ端子１５には、上述したモニタ５が接続されている。電源部１６は、電池３から供給された電力を安定化して記録再生装置各部に分配供給する。
【００１７】
図２は本実施の形態に係る記録再生装置により画像データが記録された磁気テープのパターンを示す説明図である。図２において、カラー画像データにはこのカラー画像データを検索するために用いるマークＭ１が付加され、赤成分画像データにはこの赤成分画像データを検索するために用いるマークＭ２が付加され、緑成分画像データにはこの緑成分画像データを検索するために用いるマークＭ３が付加され、青成分画像データにはこの青成分画像データを検索するために用いるマークＭ４が付加されている。即ち、本実施の形態では、画像データをＪＰＥＧ等の離散コサイン変換を用いて高能率符号化（圧縮）し、圧縮された各色成分画像データをその種類を示すマーク（識別情報）とともに所定フレームずつ連続させて磁気テープ２に記録する点を特徴としている。
【００１８】
次に、上記の如く構成してなる本実施の形態に係る記録再生装置の記録動作について説明する。
【００１９】
操作者が記録再生装置の操作部６の撮影キーを押すと、システム制御部７はカメラ部８へ撮影の指示を送る。これに伴い、カメラ部８は撮影した被写体Ｈの像を光電変換して前述の赤、緑、青の色分解フィルタを用いて画像信号を生成し、撮影用フレームメモリ部９へ送る。ここで、前記画像信号は、赤成分信号と緑成分信号と青成分信号との組み合わせからなる信号である。
【００２０】
次に、システム制御部７は撮影用フレームメモリ部９へ書き込みの指示を送る。これに伴い、撮影用フレームメモリ部９はカメラ部８から送られてきた１フレーム分の画像信号を蓄積する。次に、システム制御部７は撮影用フレームメモリ部９へ読み出しの指示を送る。これに伴い、撮影用フレームメモリ部９は蓄積していた１フレーム分の画像信号を読み出し、画像処理部１０へ送る。
【００２１】
次に、システム制御部７は画像処理部１０へ輝度信号と色信号を生成し出力するための指示を送る。これに伴い、画像処理部１０は赤成分信号と緑成分信号と青成分信号とから輝度信号と色信号を生成し、記録再生部１１へ送る。次に、システム制御部７は記録再生部１１へ５フレーム記録するための指示を送る。これに伴い、記録再生部１１は画像処理部１０から送られてきた画像信号にカラー画像データの検索用のマークＭ１を付加した信号の記録動作を開始し、５フレーム記録した時点で記録動作を終了する。
【００２２】
次に、システム制御部７は画像処理部１０へ輝度信号として赤成分信号を選択し出力するための指示を送る。これに伴い、画像処理部１０は輝度信号として赤成分信号を生成すると共に色信号として無信号を生成し、記録再生部１１へ送る。次に、システム制御部７は記録再生部１１へ５フレーム記録するための指示を送る。これに伴い、記録再生部１１は画像処理部１０から送られてきた画像にマークＭ２を付加した信号の記録動作を開始し、５フレーム記録した時点で記録動作を終了する。
【００２３】
次に、システム制御部７は画像処理部１０へ輝度信号として緑成分信号を選択し出力するための指示を送る。これに伴い、画像処理部１０は輝度信号として緑成分信号を生成すると共に色信号として無信号を生成し、記録再生部１１へ送る。次に、システム制御部７は記録再生部１１へ５フレーム記録するための指示を送る。これに伴い、記録再生部１１は画像処理部１０から送られてきた画像にマークＭ３を付加した信号の記録動作を開始し、５フレーム記録した時点で記録動作を終了する。
【００２４】
次に、システム制御部７は画像処理部１０へ輝度信号として青成分信号を選択し出力するための指示を送る。これに伴い、画像処理部１０は輝度信号として青成分信号を生成すると共に色信号として無信号を生成し、記録再生部１１へ送る。次に、システム制御部７は記録再生部１１へ５フレーム記録するための指示を送る。これに伴い、記録再生部１１は画像処理部１０から送られてきた画像にマークＭ４を付加した信号の記録動作を開始し、５フレーム記録した時点で記録動作を終了する。
【００２５】
次に、本実施の形態に係る記録再生装置の検索動作について説明する。
【００２６】
操作者が記録再生装置の操作部６の検索キーを押すと、システム制御部７は記録再生部１１へ磁気テープ巻き戻し動作の指示を送る。これに伴い、記録再生部１１は磁気テープ２の巻き戻し動作を開始し、磁気テープ２が始端に達した時点で巻き戻し動作を終了する。
【００２７】
次に、システム制御部７は記録再生部１１へマークＭ１を検索するための指示を送る。これに伴い、記録再生部１１は磁気テープ再生動作を開始し、磁気テープ２からマークＭ１を検出した時点で再生動作を一時停止する。この時、記録再生部１１からカラーの静止画像がモニタ端子１５を介してモニタ５へ送られているため、操作者はモニタ５で静止画像を確認することができる。目的とする静止画像でない場合は、操作者は更に次検索キーを操作することにより検索動作を続行させることができる。
【００２８】
操作者が記録再生装置の操作部６の次検索キーを押すと、システム制御部７は記録再生部１１へマークＭ１を検索するための指示を送る。これに伴い、記録再生部１１は磁気テープ再生動作を開始し、磁気テープ２からマークＭ１を検出した時点で再生動作を一時停止する。この時も、記録再生部１１からカラーの静止画像がモニタ端子１５を介してモニタ５へ送られているため、操作者はモニタ５で静止画像を確認することができる。目的とする静止画像でない場合は、操作者は更に次検索キーを操作することにより検索動作を続行させることができる。
【００２９】
次に、本実施の形態に係る記録再生装置の印刷動作について説明する。
【００３０】
操作者が記録再生装置の操作部６の印刷キーを押すと、システム制御部７は記録再生部１１へマークＭ２を検索するための指示を送る。これに伴い、記録再生部１１は磁気テープ再生動作を開始し、磁気テープ２からマークＭ２を検出した時点で再生動作を一時停止する。この時、記録再生部１１からは、輝度信号として赤成分信号が再生され、印刷用フレームメモリ部１２へ送られている。次に、システム制御部７は印刷用フレームメモリ部１２へ書き込みの指示を送る。これに伴い、印刷用フレームメモリ部１２は記録再生部１１からの１フレーム分の画像信号を蓄積する。
【００３１】
次に、システム制御部７は印刷用フレームメモリ部１２へ読み出しの指示を送る。これに伴い、印刷用フレームメモリ部１２は蓄積していた１フレーム分の画像信号を読み出して変換部１３へ送る。次に、システム制御部７は変換部１３へ変換の指示を送る。これに伴い、変換部１３は印刷用フレームメモリ部１２からの画像信号を印刷用コードに変換し、当該印刷コードを出力端子１４を介して印刷装置４へ送る。
【００３２】
次に、システム制御部７は記録再生部１１へマークＭ３を検索するための指示を送る。これに伴い、記録再生部１１は磁気テープ再生動作を開始し、磁気テープ２からマークＭ３を検出した時点で再生動作を一時停止する。この時、記録再生部１１からは、輝度信号として緑成分信号が再生され、印刷用フレームメモリ部１２へ送られている。次に、システム制御部７は印刷用フレームメモリ部１２へ書き込みの指示を送る。これに伴い、印刷用フレームメモリ部１２は記録再生部１１からの１フレーム分の画像信号を蓄積する。
【００３３】
次に、システム制御部７は印刷用フレームメモリ部１２へ読み出しの指示を送る。これに伴い、印刷用フレームメモリ部１２は蓄積していた１フレーム分の画像信号を読み出して変換部１３へ送る。次に、システム制御部７は変換部１３へ変換の指示を送る。これに伴い、変換部１３は印刷用フレームメモリ部１２からの画像信号を印刷用コードに変換し、当該印刷コードを出力端子１４を介して印刷装置４へ送る。
【００３４】
次に、システム制御部７は記録再生部１１へマークＭ４を検索するための指示を送る。これに伴い、記録再生部１１は磁気テープ再生動作を開始し、磁気テープ２からマークＭ４を検出した時点で再生動作を一時停止する。この時、記録再生部１１からは、輝度信号として青成分信号が再生され、印刷用フレームメモリ部１２へ送られている。次に、システム制御部７は印刷用フレームメモリ部１２へ書き込みの指示を送る。これに伴い、印刷用フレームメモリ部１２は記録再生部１１からの１フレーム分の画像信号を蓄積する。
【００３５】
次に、システム制御部７は印刷用フレームメモリ部１２へ読み出しの指示を送る。これに伴い、印刷用フレームメモリ部１２は蓄積していた１フレーム分の画像信号を読み出して変換部１３へ送る。次に、システム制御部７は変換部１３へ変換の指示を送る。これに伴い、変換部１３は印刷用フレームメモリ部１２からの画像信号を印刷用コードに変換し、当該印刷コードを出力端子１４を介して印刷装置４へ送る。
【００３６】
次に、システム制御部７は記録再生部１１へマークＭ１を検索するための指示を送る。これに伴い、記録再生部１１は磁気テープ再生動作を開始し、磁気テープ２からマークＭ１を検出した時点で再生動作を一時停止する。この時、記録再生部１１からカラーの静止画像がモニタ端子１５を介してモニタ５へ送られている。
【００３７】
上述したように、本実施の形態によれば、カメラ部８により被写体Ｈの像を光電変換して画像信号を生成し、撮影用フレームメモリ部９により画像信号を記憶し、画像処理部１０により画像信号から輝度信号と色信号を生成し、記録再生部１１により輝度信号と色信号に種類識別用のマークを付加し所定フレームずつ連続させて磁気テープ２に記録するため、動画を記録再生するためのフォーマットであっても、色信号の帯域を保ちながら画像データの圧縮による画質の低下を最小限に抑制することができる。これにより、画像を印刷する場合においても十分な画質を得ることができる。
【００３８】
上記実施の形態に於いては、カメラ部１２における色分解フィルタとして、ＲＧＢ（赤、緑、青）の色フィルタを用いて、赤成分信号、緑成分信号、青成分信号を形成し、磁気テープに静止画信号として記録している。この変形例として、カメラ部１２における色分解フィルタが補色系の、イエロー（Ｙ）、マゼンタ（Ｍ）、シアン（Ｃ）である場合には、やはり、記録する信号はイエロー成分信号、マゼンタ成分信号、シアン成分信号とする。
【００３９】
一般に、撮像素子に設けられる色分解フィルタとしてはＲＧＢの純色系のフィルタより、ＹＭＣの補色系のフィルタの方が得られる信号のダイナミックレンジが広いとされ、汎用のプリンタに於いてもＹＭＣ信号の入力を受け付けるものが増えている。従って、ＹＭＣ信号入力を有するプリンタを用いる場合に於いては、撮像素子に設けられる色分解フィルタとしてＹＭＣの補色系のフィルタを用いた方が有利であるといえる。但し、ＲＧＢ信号のような様々な画像処理に適用できる色座標を用いることによって、ＹＭＣ信号を用いる場合に比して汎用性の高い装置が得られる。
【００４０】
【発明の効果】
以上説明したように、本発明によれば、色信号の帯域を保ちながら画像データの圧縮による画質の低下を最小限に抑制することができる。
【図面の簡単な説明】
【図１】本発明の実施の形態に係る記録再生装置の構成を示すブロック図である。
【図２】本発明の実施の形態に係る記録再生装置により画像データが記録された磁気テープのパターンを示す説明図である。
【符号の説明】
２  磁気テープ（記録媒体）
７  システム制御部（制御手段）
８  カメラ部（撮影手段）
９  撮影用フレームメモリ部（画像データ記憶手段）
１０  画像処理部（画像処理手段）
１１  記録再生部（記録手段）
Ｍ１，Ｍ２，Ｍ３，Ｍ４  マーク（識別情報）
【図１】
0004343279.tif 000002
【図２】
0004343279.tif 000003